(57)【特許請求の範囲】
【請求項１】
遊技盤に装着される表示機１３の左右にそれぞれ形成された左球通路３３と右球通路３４から受入れたパチンコ球を、表示機１３の下方内部に組込まれた振り分け装置７２により振り分け案内して、パチンコ球の一部を、遊技盤面に戻す一方、遊技盤面に配置された始動口１６に案内するようにした遊技機において、
前記振り分け装置７２は、
前記表示機１３の内部下方の左側に形成されて前記左球通路３３に連絡された球通路用の左傾斜面３６と、
前記表示機１３の内部下方の右側に形成されて前記右球通路３４に連絡された球通路用の右傾斜面３７と、
前記左傾斜面３６と前記右傾斜面３７とが連絡される中央部位に形成されて前記始動口２６の直上に位置している球受け用の傾斜面７８と、
前記左傾斜面３６の途中と右傾斜面３７の途中にそれぞれ配置されており、それぞれの傾斜面３６，３７の上流側から流通してくるパチンコ球の流通方向を切り換える可動部材７３，７４とを備えており、
前記左傾斜面３６と右傾斜面３７のそれぞれは、当該傾斜面３６，３７を流れてくるパチンコ球を前記球受け用の傾斜面７８に流通案内する通路７５と、この通路７５の上流部位置から分岐された通路７６を有しており、
前記可動部材７３，７４のそれぞれは、前記左傾斜面３６と右傾斜面３７の前縁側に個々に回動可能に軸支されており、当該傾斜面３６，３７を開閉してパチンコ球の流通の制止と許容を可能にする開閉片７３ａ，７４ａと、前記通路７６に案内したパチンコ球を一旦受け入れた後、遊技盤面に向けて排出させる球受け７３ｂ、７４ｂとを有しており、
前記球受け７３ｂ、７４ｂにパチンコ球を受け入れていない第１の状態では、前記開閉片７３ａ，７４ａが当該傾斜面３６，３７を閉鎖して前記通路７６から傾斜面７８へのパチンコ球の流通を阻止すると共に前記通路７６にパチンコ球を流通可能とする一方、前記球受け７３ｂ，７４ｂが前記通路７６の出口に臨んでおり、
前記球受け７３ｂ、７４ｂに前記通路７６から流通したパチンコ球を受け入れた第２の状態では、該球受け７３ｂ，７４ｂが前記第１の状態から回動してパチンコ球を遊技盤面側に排出する一方、前記開閉片７３ａ，７４ａが当該傾斜面３６，３７を開放して前記傾斜面７８へのパチンコ球の流通を許容することを特徴とする遊技機。
【発明の詳細な説明】
【０００１】
【発明の属する技術分野】
本発明は、遊技機に関するものである。特に、遊技球を振り分ける振り分け装置に関するものである。
【０００２】
【従来の技術】
例えば、遊技機の一種であるパチンコ機には、その遊技盤に振り分け装置が設けられているものがある。この振り分け装置は、モータ、ソレノイド等によって動作される振り分け体を内蔵しており、この振り分け体が、振り分け装置に入球した遊技球を一方の領域と他方の領域とに振り分ける。例えば、一方の領域を遊技球が入賞すると遊技者が多くの賞球を得ることができる特定入賞口の周囲とし、他方の領域を特定入賞口の周囲以外とし、振り分け体によりどちらかの領域に遊技球を振り分けるようにしている。
【０００３】
【発明が解決しようとする課題】
しかしながら、上記の振り分け装置による遊技球の振り分けは、その振り分け態様に変化が少なく、面白みに欠けるものであった。
【０００４】
本発明は、かかる問題を解決するためになされたものであり、面白みが高い遊技機を提供することを課題とする。
【０００５】
【課題を解決するための手段および作用と効果】
上記の課題を解決するために、請求項１に記載の遊技機は、遊技盤に装着される表示機の左右にそれぞれ形成された左球通路と右球通路から受入れたパチンコ球を、表示機の下方内部に組込まれた振り分け装置により振り分け案内して、パチンコ球の一部を、遊技盤面に戻す一方、遊技盤面に配置された始動口に案内する。
振り分け装置は、表示機の内部下方の左側に形成されて左球通路に連絡された球通路用の左傾斜面と、表示機の内部下方の右側に形成されて右球通路に連絡された球通路用の右傾斜面と、左傾斜面と右傾斜面とが連絡される中央部位に形成されて始動口の直上に位置している球受け用の傾斜面と、左傾斜面の途中と右傾斜面の途中にそれぞれ配置されて、それぞれの傾斜面の上流側から流通してくるパチンコ球の流通方向を切り換える可動部材とを備えている。
左傾斜面と右傾斜面のそれぞれは、傾斜面を流れてくるパチンコ球を球受け用の傾斜面に流通案内する通路と、この通路の上流部位置から分岐された通路を有している。可動部材のそれぞれは、左傾斜面と右傾斜面の前縁側に個々に回動可能に軸支されており、傾斜面を開閉してパチンコ球の流通の制止と許容を可能にする開閉片と、通路に案内したパチンコ球を一旦受け入れた後、遊技盤面に向けて排出させる球受けを有する。
そして、球受けにパチンコ球を受け入れていない第１の状態では、開閉片が傾斜面を閉鎖して前記通路から傾斜面へのパチンコ球の流通を阻止すると共に前記通路にパチンコ球を流通案内可能とする一方、球受けが通路の出口に臨んでいる。球受けに前記通路から流通したパチンコ球を受け入れた第２の状態では、該球受けが第１の状態から回動してパチンコ球を遊技盤面側に排出する一方、開閉片が球通路用の傾斜面を開放して球受け用の傾斜面へのパチンコ球の流通を許容する。
この遊技機では、パチンコ遊技中に複数個（例えば２〜３個）のパチンコ球が左右の球通路に連続的に入って左右の傾斜面に誘導されると、先行のパチンコ球は可動部材の開閉片に当接して中央の傾斜面への流通が制止され、可動部材の球受けに向かって案内される。このパチンコ球が可動部材の球受けに受け止められると、パチンコ球の重みで可動部材が回動し、その後、球受け内のパチンコ球が遊技盤面の遊技領域に戻される。可動部材が回動した状態では、開閉片が傾斜面を開放し、中央の傾斜面へのパチンコ球の流通を許容する。このため、開閉片が傾斜面を開放している間に後行のパチンコ球が流れてくると、そのパチンコ球は中央の傾斜面に案内され、その傾斜面から始動口に向けて放出される。
【０００９】
【発明の実施の形態】
上述した請求項に記載の遊技機は、下記に示す形態で好適に実施することができる。
（形態１）  振り分け体は、両端に球受け部が形成されているとともに、その中央が支持されて揺動する。両球受け部に遊技球が受け止められていない状態では、振り分け体は、その支持部周りのモーメントがバランスして水平姿勢である第１の姿勢で安定する。一方の球受け部に遊技球が一時的に受け止められると、振り分け体は遊技球の重さに作用されて第１の姿勢から第２の姿勢に姿勢変化する。振り分け体が第２の姿勢に姿勢変化すると、入球経路から他方の球受け部を経て第１の領域へ到る経路が形成される。
（形態２）  振り分け体は、一端に球受け部が、他端に規制部が形成されているとともに、その中央が支持されて揺動する。球受け部に遊技球が受け止められていない状態では、振り分け体は第１の姿勢に保持され、その規制部が第１の領域への経路を閉じている。球受け部に遊技球が一時的に受け止められると、振り分け体は遊技球の重さにより第１の姿勢から第２の姿勢に姿勢変化する。振り分け体が第２の姿勢に姿勢変化すると、規制部材が第１の領域への経路を開く。
【００１０】
【実施例】
（第１実施例）  本発明を第１種パチンコ機に適用した第１実施例を図１〜図７を参照しながら説明する。なお、第１種パチンコ機とは、図柄表示装置に表示される複数の図柄が所定の組み合わせである場合に、特定の入賞口が大きく開放されるタイプのパチンコ機である。
図１に示されているように、パチンコ機１０の右下方に、遊技者が操作してパチンコ球（遊技球）を打ち出すハンドル１２が設けられている。遊技盤１４の右側には、円弧状に形成されたレール１８が取り付けられており、ハンドル１２が操作されることによって打ち出されたパチンコ球は、このレール１８によって遊技盤１４の上部まで案内される。遊技盤１４に、表示機１３、第１種始動口１６、大入賞口１７等が配置されている。表示機１３には、液晶画面に図柄が表示される図柄表示装置１５や遊技者に遊技状態を報知する各種ランプ（図示省略）等が設けられている。
第１種始動口１６は、外方に開く２枚の可動片１６ａを有するとともに、その内部にはパチンコ球が入賞したことを検知するセンサ（図示省略）が設けられている。大入賞口１７は、下辺を軸として前方側に開く矩形板状の開閉扉１９を有しているとともに、内部には特別入賞区域（Ｖゾーン）（図示省略）が形成されている。遊技盤１４には、落下するパチンコ球の方向を変化させるための釘１４ａが多数打ち付けられている。また、遊技機１０の下部には、賞球や貸し球を一時的に貯めておく下皿２２、賞球の受け皿である上皿２３、灰皿２４等が設けられている。
【００１１】
ハンドル１２が操作されて打ち出され、レール１８に沿って遊技盤１４の上部に達したパチンコ球は、遊技盤１４に打ち付けられている釘１４ａに衝突し、その方向を頻繁に変化させながら下方に落下する。第１種始動口１６にパチンコ球が入賞し、センサがこれを検知すると５個の賞球（賞品としてのパチンコ球）が払い出され、可動片１６ａが所定時間開かれる。可動片１６ａが開かれると、パチンコ球が第１種始動口１６に入賞しやすくなる。第１種始動口１６にパチンコ球が入賞すると、図柄表示装置１５に複数の図柄が表示されて変動し、その後停止する。この停止した図柄が所定の組み合わせである場合に遊技機１０は大当たり状態に移行する（図柄の所定の組み合わせとは、例えば、数字「７・７・７」、「３・３・３」である）。
遊技機１０が大当たり状態に移行すると、通常は閉じられている大入賞口１７の開閉扉１９が開放される。開放された開閉扉１９は、開放されてからパチンコ球が１０個入賞するか、開放されてから３０秒を経過するまでかのいずれかが成立した場合に閉じられる。開閉扉１９が開放されている間に、大入賞口１７の内部の特別入賞区域（Ｖゾーン）をパチンコ球が通過した場合には、一旦閉じた開閉扉１９が再び開放される。この開閉扉１９の開閉は最大１６回継続され、開閉扉１９が開放されたときに入賞するパチンコ球１個に対して１５個の賞球が払い出される。このため、大当たりになると、遊技者は２０００個以上の賞球を得ることができる。
【００１２】
次に、表示機１３内に設けられる振り分け装置４２およびその周辺の部材の構成について説明する。振り分け装置４２は、図２に示されているように、左傾斜面３６、右傾斜面３７、シーソー４３、中央球受け４４等から構成されている。図柄表示装置１５の左側に、左球通路３３が形成されている。左球通路３３は、左横方向に開口している球入口３３ａと、その右下に開口している球出口３３ｂとを連通して形成されている。図柄表示装置１５の右側にも、上記の左球通路と対象形状である球入口３４ａと球出口３４ｂを有する右球通路３４が形成されている。左球通路３３と右球通路３４は不透明とされているので、パチンコ球は、左球通路３３と右球通路３４を通過している間は見えなくなる。このため、左球通路３３と右球通路３４は、ワープゾーンとも言われる。
左球通路３３の球出口３３ｂと右球通路３４の球出口３４ｂの下に、それぞれ遊技盤１４の中央に向かって下方に傾斜した左傾斜面３６と右傾斜面３７が設けられている。図３によく示されているように、左傾斜面３６の前端に、上方に突出したガイド３６ａが形成されている。右傾斜面３７にも、左傾斜面３６のガイド３６ａと対象形状のガイドが形成されている。
【００１３】
図２、図４に示されているように、シーソー４３は、左右に伸びる横棒４５の左右両端に、それぞれ左球受け４６と右球受け４７とを備えている。図４によく示されているように、左球受４６と右球受け４７は、その中央部よりも両端が僅かに高いＶ字状に形成され、また、中央部はえぐり取られて緩やかに前下方に傾斜した傾斜面（４６ａ、４７ａ）とされている。横棒４５は、図３に示されているように、その中央が表示機１３の壁面１３ａに固定されている丸棒状のシャフト３９の周りに回動可能とされている。このため、シーソー４３は、シャフト３９を中心として揺動することができる。中央球受け４４は、表示機１３の壁面１３ａに固定され、その左右端に上方に突出した左突出部４４ｂと右突出部４４ｃが形成されている。また、中央球受け４４の中央に、前下方に緩やかに傾斜した傾斜面４４ａが形成されている。図２に示されているように、中央球受け４４は、第１種始動口１６の真上に配置されている。
【００１４】
振り分け装置４２の動作について説明する。振り分け装置４２は、入球したパチンコ球を第１種始動口の周囲と、それ以外の領域に振り分ける。
まず、振り分け装置４２が第１種始動口１６の周囲以外へパチンコ球４１を振り分ける場合について図５を参照しながら説明する。なお、以下においては、左球通路３３にパチンコ球４１が入った場合を例として説明する（本実施例の振り分け装置４２は左右対称であるので、右球通路３４からパチンコ球４１が入っても、その動作は左球通路３３からパチンコ球が入った場合と同様である）。球入口３３ａから左球通路３３に入ったパチンコ球４１は、左球通路３３を通過して球出口３３ｂから左傾斜面３６の上に落下する。左傾斜面３６に落下したパチンコ球４１は、左傾斜面３６が右下がりに傾斜し、またその前端には上方に突出したガイド３６ａが形成されているので、図５に示されているようにシーソー４３に向かって左から右に移動する。
【００１５】
シーソー４３は、パチンコ球４１が作用しない状態では、左右の重さがバランスして水平姿勢を保っている。左傾斜面３６を移動したパチンコ球４１は、左傾斜面３６の右端から落下する。左傾斜面３６から落下したパチンコ球４１は、その勢い（慣性）で右方向に移動しようとするが、中央球受け４４の左突出部４４ｂに規制されてそれ以上右方向に移動することができず、シーソー４３の左球受け４６に受け止められる。パチンコ球４１が左球受け４６に受け止められると、パチンコ球４１の重さが作用して、シーソー４３は反時計方向に表示機１３の下端面１３ｂに当接する位置まで揺動する。左球受け４６に受け止められたパチンコ球４１は、傾斜面４６ａを前方に移動し、左球受け４６の前端から落下する。落下したパチンコ球は、表示機１３の下端面１３ｂに落ち、下端面１３ｂから遊技盤１４に戻される。左球受け４６は、図２に示されているように、第１種始動口１６の左側にずれた位置に配置されているので、左球受け４６から落下したパチンコ球４１が第１種始動口１６に入賞する確率は低い。左球受け４６からパチンコ球４１が落下すると、シーソー４３は、左右の重さがバランスして元の水平姿勢に復帰する。
【００１６】
続いて、振り分け装置４２が第１種始動口１６の周囲へパチンコ球を振り分ける場合について説明する。第１種始動口１６の周囲へパチンコ球が振り分けられる場合には、左球通路３３と右球通路３４に２つのパチンコ球が所定のタイミングで入球することが必要である。以下においては、右球通路３４にパチンコ球（先行パチンコ球）が入り、続いて左球通路３３にパチンコ球（後続パチンコ球）が入った場合を例として説明する。右球通路３４を通過した先行パチンコ球４８は右傾斜面３７に落下し、さらに右傾斜面３７に沿って右から左に移動し、図６に示されているように、シーソー４３の右球受け４７に受け止められる。先行パチンコ球４８が右球受け４７に受け止められると、先行パチンコ球４８の重さが作用して、シーソー４３は時計方向に揺動する。右球受け４７に受け止められた先行パチンコ球４８は、傾斜面４７ａを前方に移動し最終的には右球受け４７から落下するが、受け止められてから落下するまでの間、シーソー４３は時計方向に揺動した位置に維持される。この状態では、図７に示されているように、左球受け４６は中央球受け４４に対して右下方に傾斜した姿勢となる。そして、右球受け４７から先行パチンコ球４８が落下するよりも前に、左球通路３３に入った後続パチンコ球４９が左傾斜面３６から左球受け４６に落下すると、シーソー４３のシャフト３９周りの重量バランスは均衡する。このため、シーソー４３は時計方向に揺動した位置から動ず、パチンコ球４９はさらに左に移動して中央球受け４４に達する。
【００１７】
中央球受け４４に達した後続パチンコ球４９は、それ以上右に移動することが右突出部４４ｃによって規制される。そして、後続パチンコ球４９は、傾斜面４４ａを前方に移動し、中央球受け４４の前端から落下する。中央球受け４４は、第１種始動口１６の真上に配置されているので、中央球受け４４から落下した後続パチンコ球４９は、第１種始動口１６に向かって落下する。
このように、上記の振り分け装置４２は、一方の球入口から入球した先行パチンコ球４８より僅かに遅れるタイミングで他方の球入口から後続パチンコ球４９が振り分け装置４２に入球すると、後続パチンコ球４９は第１種始動口１６の周囲、すなわち第１種始動口１６に入賞する確率が高い領域に振り分けられる。逆に、振り分け装置４２に後続パチンコ球４９が入球するタイミングが遅いと、右球受け４７から先行パチンコ球４８が落下してしまう。このため、その後に後続パチンコ球４９が左球受け４６に落下すると、シーソー４３は反時計方向に揺動し、後続パチンコ球４９は、左球受け４６からそのまま落下する。すなわち、この振り分け装置４２によれば、先行パチンコ球４８と後続パチンコ球４９が振り分け装置４２に入球するタイミングによって、後続パチンコ球４９は、第１種始動口１６に入賞する確率が高い領域に振り分けられたり、その確率が低い領域に振り分けられたりする。
このようにして、遊技者は、先行パチンコ球４８と後続パチンコ球４９が振り分け装置４２に入球するタイミングを後続パチンコ球が第１種始動口１６に入賞する確率が高い領域に振り分けられるように調整するという技量的なチャレンジに面白みを感じ、パチンコ遊技を楽しむことができる。
【００１８】
（第２実施例）  本発明の第２実施例を図８〜図１２を参照しながら説明する。なお、本第２実施例は、振り分け装置５１以外については第１実施例と変わるところがないので、その説明は省略する。
振り分け装置５１の構成について説明する。振り分け装置５１は、図８、図９に示されているように表示機１３内に設けられ、左傾斜面３６、右傾斜面３７、シーソー５２、中央球受け５５等から構成されている。シーソー５２は、その右側に球受け５３が、左側に規制片５４が形成されている。球受け５３は、両端が中央部よりも僅かに高いＶ字状に形成されている。規制片５４は、シーソー５２の左端が下方に折り曲げられた形状に形成されている。シーソー５２は、図９によく示されているように、表示機１３に固定されている丸棒状のシャフト５６の周りに揺動可能であるとともに、シャフト５６周りの重量バランスは、規制片５４側が僅かに重いように調整されている。また、図示しない規制部により、シーソー５２は図８に図示されている位置から反時計方向への揺動は規制されている。このため、シーソー５２は、外力が作用しない状態では、図８に示されている水平位置で安定する。すなわち、シーソー５２は、図８に図示されている位置からは時計方向にのみ揺動することができる。
【００１９】
中央球受け５５は、第１種始動口１６の真上に配置され、その右側には上方に突出した突出部５５ａが形成されているとともに、僅かに前下方に傾斜した傾斜面５５ｂが形成されている。また左傾斜面３６の右側に、前方に傾斜した傾斜面５７が形成され、さらに傾斜面５７の右側に中央球受け５５に向かう右下がりの傾斜面５９が形成されている。
【００２０】
振り分け装置５１の動作について説明する。振り分け装置５１は、入球したパチンコ球を第１種始動口の周囲と、それ以外の領域に振り分ける。まず、振り分け装置５１が第１種始動口１６以外へパチンコ球を振り分ける場合について説明する。図１０に示されているように、左球通路３３の球入口３３ａに入ったパチンコ球６２は、左球通路３３を通過して球出口３３ｂから左傾斜面３６の上に落下し、さらに左傾斜面３６を左から右に移動する。上述したように、シーソー５２は外力が作用しない状態では、水平位置で安定しているので、シーソーの規制片５４はパチンコ球６２の右方向への移動を規制する位置にある。このため、パチンコ球６２は傾斜面５７を前方側に移動し、傾斜面５７の前端から落下する。傾斜面５７は、第１種始動口１６の左側にずれた上方に位置しているので、傾斜面５７から落下したパチンコ球６２が第１種始動口１６に入賞する確率は低い。
【００２１】
また、右球通路３４の球入口３４ａにパチンコ球６３が入球すると、図１１に示されているように、パチンコ球６３は右球通路３４を通過して球出口３４ｂから右傾斜面３７の上に落下し、さらに右傾斜面３７を右から左に移動する。右傾斜面３７を移動したパチンコ球６３は、シーソー５２の球受け５３に落下する。球受け５３にパチンコ球６３が落下すると、パチンコ球６３の重さに作用されてシーソー５２は時計方向に揺動する。そして、パチンコ球６３は球受け５３の前端から落下する。球受け５３は、第１種始動口１６の右側にずれた上方に位置しているので、球受け５３から落下したパチンコ球６２が第１種始動口１６に入賞する確率は低い。
【００２２】
次に、振り分け装置５１が第１種始動口１６の周囲へパチンコ球を振り分ける場合について説明する。第１種始動口１６の周囲へパチンコ球が振り分けられる場合には、左球通路３３と右球通路３４に２つのパチンコ球が所定のタイミングで入球することが必要である。以下においては、右球通路３４にパチンコ球（先行パチンコ球）が入り、続いて左球通路３３にパチンコ球（後続パチンコ球）が入った場合を例として説明する。先行パチンコ球６５が右球通路３４に入球すると、先行パチンコ球６５は、右球通路３４を通過して右傾斜面３７に落下し、さらに右傾斜面３７を右から左に移動し、シーソー５２の球受け５３に受け止められる。この状態が図１２に示されている。先行パチンコ球６５が球受け５３に受け止められると、先行パチンコ球６５の重さが作用して、シーソー５２は時計方向に揺動する。シーソ５２が時計方向に揺動すると、規制片５４は上方に移動する。従って、後続パチンコ球６４が傾斜面５９に入るのを規制しない。このため、球受け５３に受け止められた先行パチンコ球６５が球受け５３から落下してシーソー５２が水平位置に戻る前までに後続パチンコ球６４が振り分け装置５１に入ると、後続パチンコ球６４は傾斜面５９を通過して中央球受け５５まで移動することができる。中央球受け５５まで移動した後続パチンコ球６４は、傾斜面５５ｂにそって前方に移動し、中央球受け５５の前端から落下する。中央球受け５５は第１種始動口１６の真上に配置されているので、中央球受け５５から落下した後続パチンコ球６４は、第１種始動口１６に入賞する確率が高い。
【００２３】
（第３実施例）  本発明の第３実施例を図１３〜図１６を参照しながら説明する。なお、第２実施例と同様に、本第３実施例も振り分け装置７２以外については第１実施例と変わるところがないので、その説明は省略する。
振り分け装置７２の構成について説明する。振り分け装置７２は、図１３に示されているように表示機１３内に設けられ、左傾斜面３６、右傾斜面３７、左可動部材７３と右可動部材７４等から構成されている。そして、左可動部材７３と右可動部材７４がパチンコ球の通路を開閉することにより、パチンコ球の振り分けが行われる。左可動部材７３と右可動部材７４は、左右対称の構成であるので、以下においては左可動部材７３を主体に説明する。図１４、図１５に示されているように、パチンコ球の通路である左傾斜面３６は、その右端が通路７５と通路７６とに分岐されている。通路７５は、左傾斜面３６がそのまま傾斜方向に伸ばされるように形成されている。通路７６は、左傾斜面３６から直角に分岐され、さらに傾斜方向に直角に屈曲され、この部分が終端７６ａとされている。
【００２４】
左可動部材７３は、一端に上方が開放され断面が半円状の球受け７３ｂと、他端に開閉片７３ａが形成されている。左可動部材７３は、その中心がシャフト７７を中心に揺動可能とされており、シャフト７７周りの重量バランスは、球受け７３ｂよりも開閉片７３ａの方が僅かに重くなるように調整されている。このため、図１４、図１５によく示されているように、外力が作用しない状態では、左可動部材７３は、開閉片７３ａの下端が通路７５の底部に当接した状態で安定する。この状態では、開閉片７３ａが通路７５の入口を閉止しており、左傾斜面３６を移動してきたパチンコ球は通路７５に入ることはできない。図１５に示されているように、球受け７３ｂは、右端７３ｄが閉じられており、左端７３ｃが開放されている。そして、球受け７３ｂの底部７３ｅは、右端７３ｄから左端７３ｃに向かって僅かに下向きに傾斜するように形成されている。そして、振り分け装置７２の中央には、図１３に示されているように、前方に傾斜した傾斜面７８が形成されている。傾斜面７８は、第１種始動口１６の真上に配置されている。
【００２５】
振り分け装置７２の動作について説明する。振り分け装置７２は、入球したパチンコ球を第１種始動口の周囲と、それ以外の領域に振り分ける。まず、振り分け装置７２が第１種始動口１６以外へパチンコ球を振り分ける場合について説明する。なお、以下においては、左球通路３３から入ったパチンコ球８２が、第１種始動口１６以外へ振り分けられる場合を例として説明する。左球通路３３の球入口３３ａに入ったパチンコ球８２は、左球通路３３から左傾斜面３６に落下し、左傾斜面３６を左から右に移動する。そして、図１５に示されているように、パチンコ球８２は、左可動部材７３の開閉片７３ａによって通路７５の入口が閉じられているので通路７６に入り、終端７６ａから左可動部材７３の球受け７３ｂに落下する。パチンコ球８２が左可動部材７３の球受け７３ｂに落下すると、左可動部材７３はシャフト７７周りに揺動されるとともに、パチンコ球８２は底部７３ｅの傾斜に沿って左側に移動し、左端７３ｃから落下する。パチンコ球８３が左可動部材７３から落下すると、左可動部材７３は元の位置に戻る。左可動部材７３は、第１種始動口１６の左側にずれて位置しているので、左可動部材７３から落下したパチンコ球８２が第１種始動口１６に入賞する確率は低い。
【００２６】
振り分け装置７２が第１種始動口１６の周囲へパチンコ球を振り分ける場合について説明する。第１種始動口１６の周囲へパチンコ球が振り分けられる場合には、左球通路３３あるいは右球通路３４に２つのパチンコ球が所定のタイミングで入球することが必要である。以下においては、左球通路３３に先行パチンコ球と後続パチンコ球が連続して入球した場合を例として説明する。先行して左傾斜面３６に入った先行パチンコ球８４は、左可動部材７３の開閉片７３ａによって通路７５が閉止されているので通路７６に入り、球受け７３ｂに落下して左可動部材７３を揺動させる（図１６参照）。左可動部材７３が揺動されると、開閉片７３ａが通路７５の入口を開く。左可動部材７３の球受け７３ｂから先行パチンコ球８４が落下する前に、後続する後続パチンコ球８５が左傾斜面３６を移動してくると、開かれている入口から通路７５に入ることができる。通路７５に入った後続パチンコ球８５は、傾斜面７８を前方に移動し、その前端から落下する。傾斜面７８は第１種始動口１６の真上に配置されているので、傾斜面７８から落下した後続パチンコ球８５は、第１種始動口１６に入賞する確率が高い。
【００２７】
（第４実施例）  本発明を第２種パチンコ機に摘要した第４実施例を図１７〜図２１を参照しながら説明する。なお、第２種パチンコ機とは、特定の入賞口にパチンコ球が入賞した場合に、可動翼片が大入賞口を大きく開放するタイプのパチンコ機である。図１７に示されているように、本第４実施例のパチンコ機の遊技盤１１２には、大入賞口１１４、左チャッカー１１６、中チャッカー１１７、右チャッカー１１８等が配置されている。大入賞口１１４は、外方に開いて大入賞口を開放する可動翼片１２４を備えるとともに、その下部には振り分け装置１５２が設けられている。
【００２８】
左チャッカー１１６、中チャッカー１１７、右チャッカー１１８は入賞口であり、その内部にパチンコ球が入賞したことを検知するセンサが設けられている。左チャッカー１１６または右チャッカー１１８にパチンコ球が入賞すると、大入賞口１１４の可動翼片１２４が所定時間（例えば０．４秒間）開放される。中チャッカー１１７にパチンコ球が入賞すると、可動翼片１２４が所定時間に複数回開放される（例えば、０．４秒間に２回開放される）。また、大入賞口１１４の下部には特別入賞区域（Ｖゾーン１１９）が設けられており、その内部にはパチンコ球の入賞を検知するセンサ（図示省略）が装着されている。大入賞口１１４に入ったパチンコ球がＶゾーン１１９に入賞すると、センサがこれを検知して可動翼片１２４が所定時間内に複数回開閉を繰り返す、いわゆる大当たり動作を行う（例えば、２４秒間に１８回開閉を繰り返す）。この大当たり動作中に、大入賞口１１４にパチンコ球が所定個数（例えば、１０個）入賞するとその時点で可動翼片１２４の開放は終了する。可動翼片１２４の開放が終了する前に、さらにＶゾーン１１９にパチンコ球が入賞すると、大当たり動作は継続される。大当たり動作の継続回数は、最大１６回である。このように、大入賞口１１４のＶゾーン１１９にパチンコ球が入賞するか否かは、大当たり動作の開始とその継続に係わるので、遊技者にとって大きな関心事である。
【００２９】
振り分け装置１５２およびその周辺の部材の構成について説明する。振り分け装置１５２は、大入賞口１１４内に設けられており、左傾斜面１３８、右傾斜面１３９、シーソー１５４、中央球受け１５８等から構成されている。図１７に示されているように、大入賞口１１４の左右に装着されている可動翼片１２４の下には、大入賞口１１４の中央に向かって下方に傾斜している左傾斜面１３８と右傾斜面１３９が形成されている。また、振り分け装置１５２の上方には、中央が高い屋根状の球乗り部材１４２が形成されている。球乗り部材１４２の左右端は、それぞれ左傾斜面１３８と右傾斜面１３９の上方に位置している。
シーソー１５４は、図１７に示されているように、左右に伸びる横棒１５３の左右に、それぞれ左球受け１６２と右球受け１６４が形成されている。左球受け１６２と右球受け１６４には、前方に緩やかに傾斜している傾斜面１６２ａ、傾斜面１６４ａが形成されている。横棒１５３は、図１８に示されているように、その中央が大入賞口１１４の壁面１１４ａに固定されているシャフト１７２に回動可能に取り付けられている。このため、シーソー１５４は、シャフト１７２を中心として揺動することができる。
【００３０】
中央球受け１５８は、図１８に示されているように、大入賞口１１４の壁面１１４ａの前方に突出して固定されているとともに、前方に緩やかに傾斜している傾斜面１５８ａが形成されている。中央球受け１５８の傾斜面１５８ａの真下には、図１８によく示されているように、傾斜面１５８ａの前端１５８ｂよりも前方側に突き出してＶゾーン１１９が配置されている。Ｖゾーン１１９の底部１１９ａは、後下方に向かって傾斜している。
【００３１】
振り分け装置１５２の動作について説明する。振り分け装置１５２は、パチンコ球をＶゾーン１１９と、それ以外の領域に振り分ける。まず、振り分け装置１５２がＶゾーン１１９以外の領域へパチンコ球を振り分ける場合について説明する。なお、以下においては、左側の可動翼片１２４からパチンコ球が入った場合を例として説明する。図１９に示されているように、外方に開放されている左側の可動翼片１２４から大入賞口１１４に入ったパチンコ球１６６は、その勢いによって球乗り部材１４２に一旦乗ってから、あるいはそのまま左傾斜面１３８に落下する。左傾斜面１３８に落下したパチンコ球１６６は、左傾斜面１３８を右側に移動した後にその右端から落下し、シーソー１５４の左球受け１６２に受け止められる。パチンコ球１６６が左球受け１６２に受け止められると、パチンコ球１６６の自重により、シーソー１５４は水平位置から反時計方向にシーソー１５４の底面がＶゾーン１１９の上端１１９ｂに当接する位置まで揺動する。左球受け１６２に受け止められたパチンコ球１６６は、傾斜面１６２ａを前方に移動し、左球受け１６２の前端から落下してＶゾーン１１９の外に放出される。左球受け１６２からパチンコ球１６６が落下すると、シーソー１５４は左右の重さがバランスして元の水平位置に戻る。
【００３２】
振り分け装置１５２がＶゾーン１１９にパチンコ球を振り分ける場合について、左傾斜面１３８に先行パチンコ球１６７が入り、続いて後続パチンコ球１６８が右傾斜面１３９に入った場合を例として説明する。図２０に示されているように、先行パチンコ球１６７が左傾斜面１３８から落下して左球受け１６２に受とめられると、シーソー１５４は反時計方向に揺動する。左球受け１６２から先行パチンコ球１６７が落下するよりも前に、右傾斜面１３９から後続パチンコ球１６８が右球受け１６４に落下すると、シーソー１５４の左右の重さがバランスするので、シーソー１５４は揺動しない。従って、右球受け１６４の位置はそのままなので、図２１に示されているように、後続パチンコ球１６８はそのまま中央球受け１５８まで移動する。中央球受け１５８に移動した後続パチンコ球１６８は、傾斜面１５８ａを前方に移動し、その前端１５８ｂから落下する。傾斜面１５８の真下にはＶゾーン１１９が配置されているので、傾斜面１５８から落下した後続パチンコ球１６８はＶゾーン１１９に入賞する。Ｖゾーン１１９に後続パチンコ球１６８が入賞すると、パチンコ機は大当たり動作に移行する。
このように、本第４実施例は、先行パチンコ球１６７と後続パチンコ球１６８が大入賞口１１４に入るタイミングによって振り分け装置１５２がＶゾーン１１９に後続パチンコ球を振り分けるか否かが決まる。このため、遊技者は、先行パチンコ球１６７と後続パチンコ球１６８が大入賞口１１４に入るタイミングに関心を高めながら、パチンコ遊技を楽しむことができる。
【００３３】
以上、本発明の実施例に係る遊技機について説明したが、これは例示に過ぎず、本発明は当業者の知識に基づいて種々の変更、改良を施した形態で実施することができる。
例えば、シーソーや可動部材を姿勢変化させるのは、パチンコ球の重さに限られるものではない。例えば、パチンコ球の慣性力や衝突力が作用してシーソーや可動部材を姿勢変化させてもよい。
【図面の簡単な説明】
【図１】第１実施例の遊技機の、正面図
【図２】同、遊技盤の正面図
【図３】同、図２のＩＩＩ―ＩＩＩ線断面図
【図４】同、シーソーと中央球受けの斜視図
【図５】同、振り分け装置の動きの説明図
【図６】同、振り分け装置の動きの説明図
【図７】同、振り分け装置の動きの説明図
【図８】第２実施例の遊技機の、遊技盤の正面図
【図９】同、図８のＩＸ―ＩＸ線断面図
【図１０】同、振り分け装置の動きの説明図
【図１１】同、振り分け装置の動きの説明図
【図１２】同、振り分け装置の動きの説明図
【図１３】第３実施例の遊技機の、遊技盤の正面図
【図１４】同、図１３のＸＩＶ―ＸＩＶ線断面図
【図１５】同、振り分け装置の斜視図
【図１６】同、図１５のＡ断面図
【図１７】第４実施例の遊技機の、遊技盤の正面図
【図１８】同、図１７のXVIII―XVIII線断面図
【図１９】同、振り分け装置の動きの説明図
【図２０】同、振り分け装置の動きの説明図
【図２１】同、振り分け装置の動きの説明図
【符号の説明】
１０：パチンコ機
１２：ハンドル
１３：表示機、１３ａ：壁面、１３ｂ：下端面
１４：遊技盤
１５：図柄表示装置
１６：第１種始動口、１６ａ：可動片
１７：大入賞口
１９：開閉扉
１８：レール
２２：下皿
２３：上皿
２４：灰皿
３３：左球通路、３３ａ：球入口、３３ｂ：球出口
３４：右球通路、３４ａ：球入口、３４ｂ：球出口
３６：左傾斜面、３６ａ：ガイド
３７：右傾斜面
３９：シャフト
４１：パチンコ球
４２：振り分け装置
４３：シーソー
４４：中央球受け、４４ａ：傾斜面、４４ｂ：左突出部、４４ｃ：右突出部
４５：横棒
４６：左球受け、４６ａ：傾斜面
４７：右球受け、４７ａ：傾斜面
４８：先行パチンコ球
４９：後続パチンコ球
５１：振り分け装置
５２：シーソー
５３：球受け
５４：規制片
５５：中央球受け、５５ａ：突出部、５５ｂ：傾斜面
５６：シャフト
５７：傾斜面
５９：傾斜面
６３：パチンコ球
６４：後続パチンコ球
６５：先行パチンコ球
７２：振り分け装置
７３：左可動部材、７３ａ：開閉片、７３ｂ：球受け、７３ｃ：左端、７３ｄ：右端、７３ｅ：底部
７４：右可動部材
７５：通路
７６：通路、７６ａ：終端
７７：シャフト
７８：傾斜面
８２：パチンコ球
８４：先行パチンコ球
８５：後続パチンコ球
１１２：遊技盤
１１４：大入賞口、１１４ａ：壁面
１１６：左チャッカー
１１７：中チャッカー
１１８：右チャッカー
１１９：Ｖゾーン、１１９ａ：底部、１１９ｂ：上端
１２４：可動翼片
１３８：左傾斜面
１３９：右傾斜面
１４２：球乗り部材
１５２：振り分け装置
１５３：横棒
１５４：シーソー
１５８：中央球受け、１５８ａ：傾斜面、１５８ｂ：前端
１６２：左球受け、１６２ａ：傾斜面
１６４：右球受け、１６４ａ：傾斜面
１６６：パチンコ球
１６７：先行パチンコ球
１６８：後続パチンコ球
１７２：シャフト
【図１】
0004274302.tif 000002
【図２】
0004274302.tif 000003
【図３】
0004274302.tif 000004
【図４】
0004274302.tif 000005
【図５】
0004274302.tif 000006
【図６】
0004274302.tif 000007
【図７】
0004274302.tif 000008
【図８】
0004274302.tif 000009
【図９】
0004274302.tif 000010
【図１０】
0004274302.tif 000011
【図１１】
0004274302.tif 000012
【図１２】
0004274302.tif 000013
【図１３】
0004274302.tif 000014
【図１４】
0004274302.tif 000015
【図１５】
0004274302.tif 000016
【図１６】
0004274302.tif 000017
【図１７】
0004274302.tif 000018
【図１８】
0004274302.tif 000019
【図１９】
0004274302.tif 000020
【図２０】
0004274302.tif 000021
【図２１】
0004274302.tif 000022